(57)【要約】  鉱物原料処理設備（１００）は、フレーム（１）と、破砕機（１０）と、遠心コンベア（６０）と、第１のコンベア（３０）とを備え、遠心コンベアは、第１の遊びドラム（７３）と、第２の遊びドラム（６７）と、第１の遊びドラム及び第２の遊びドラム、回動軸（７０）、ならびに、回動軸の周りに回動可能である折り畳みヘッド（６０’）を取り囲む主コンベアベルト（６６）とを備え、折り畳みヘッド（６０’）は、遠心コンベアを第１のコンベアと原料搬送連結で連結させるために、及び、前記原料搬送連結をさせないために、第２の遊びドラム（６７）が軸受取り付けされる移動可能フレーム（７１）を備えている。回動軸（７０）の回動位置が、主コンベアベルト（６６）の周辺の内部の領域に配置される。処理設備を運転するための方法。【選択図】図６
2016536128.tif 000002
【特許請求の範囲】
【請求項１】
フレーム（１）と、
破砕機（１０）と、
遠心コンベア（６０）と、
第１のコンベア（３０）と
を備え、
前記遠心コンベアは、第１の遊びドラム（７３）と、第２の遊びドラム（６７）と、前記第１の遊びドラム及び前記第２の遊びドラム、回動軸（７０）、ならびに、前記回動軸の周りに回動可能である折り畳みヘッド（６０’）を取り囲む主コンベアベルト（６６）とを有し、
前記折り畳みヘッド（６０’）は、前記遠心コンベアを前記第１のコンベアと原料搬送連結で連結させるために、及び、前記原料搬送連結をさせないために、前記第２の遊びドラム（６７）は、軸受により取り付けされる移動可能なフレーム（７１）を備えた鉱物原料処理設備（１００）において、
前記回動軸（７０）の回動位置が前記主コンベアベルト（６６）の周辺の内部の領域に配置されていることを特徴とする処理設備。
【請求項２】
前記第１のコンベア（３０）は、前記処理設備の外部から原料を受け入れる供給ホッパ（３４）を備えていることを特徴とする、請求項１に記載の処理設備。
【請求項３】
カバー板（３５）が、前記供給ホッパ（３４）の後側に固定され、後方へと向けられていることを特徴とする、請求項２に記載の処理設備。
【請求項４】
掻き取り器（７７）が、前記第２の遊びドラム（６７）の所で前記主コンベアベルト（６６）を掻き取るために配置されることを特徴とする、請求項１に記載の処理設備。
【請求項５】
前記遠心コンベアは、前記遠心コンベアの反対の搬送方向の供給の運転モードで前記主コンベアベルト（６６）を支持するために、前記遠心コンベアのフレームにおいて上向きの湾曲形態で連続的に配置されている連続した複数の転向ローラ（７２）を備えていることを特徴とする、請求項１に記載の処理設備。
【請求項６】
前記複数の転向ローラ（７２）は、前記主コンベアベルト（６６）の搬送面の側において前記主コンベアベルトの両側に配置されていることを特徴とする、請求項５に記載の処理設備。
【請求項７】
前記連続した複数の転向ローラ（７２）によって形成されている前記湾曲形態の曲率半径が、一定である、又は、前記遠心コンベアの前記搬送方向において小さくなることを特徴とする、請求項５に記載の処理設備。
【請求項８】
前記複数の転向ローラ（７２）は、前記遠心コンベアの前記フレーム（７９）との標準化された固定ディメンションを好ましくは有している転向ローラセット（７８）へと組み立てられることを特徴とする、請求項５乃至７のいずれか１項に記載の処理設備。
【請求項９】
前記第１のコンベア（３０）の遊びドラム（３７）と前記遠心コンベア（６０）の前記第２の遊びドラム（６７）とは、好ましくは、前記遠心コンベアの反対の搬送方向の供給の運転モードにおいて同じ鉛直線上に実質的にあることを特徴とする、請求項１に記載の処理設備。
【請求項１０】
前記折り畳みヘッド（６０’）は、前記主コンベアベルトの循環部の外側において、前記第１の遊びドラム（７３）と前記第２の遊びドラム（６７）との間で、前記主コンベアベルト（６６）の循環方向に沿って配置されている遊びローラ（７４）を備えていることを特徴とする、請求項１に記載の処理設備。
【請求項１１】
前記遊びローラ（７４）は、前記折り畳みヘッド（６０’）の前記移動可能なフレーム（７１）に装着されることを特徴とする、請求項１０に記載の処理設備。
【請求項１２】
前記遠心コンベアは、破砕機のような前記処理設備で処理される原料を受け入れるように配置されることを特徴とする、請求項１に記載の処理設備。
【請求項１３】
前記遠心コンベアと前記第１のコンベア（３０）とが前記原料搬送連結へと連結されるとき、前記遠心コンベア（６０）は、遠心コンベアによって搬送された前記原料を前記上方の第１のコンベアの上へと持ち上げるように配置されていることを特徴とする、請求項１に記載の処理設備。
【請求項１４】
前記遠心コンベアの排出端が、前記第１のコンベアの開始端の上方に設置されていることを特徴とする、請求項１に記載の処理設備。
【請求項１５】
前記主コンベアベルト（６６）の原料排出領域が、前記第１のコンベアの第１のコンベアベルト（３６）の原料受入領域と平行であることを特徴とする、請求項１に記載の処理設備。
【請求項１６】
前記折り畳みヘッド（６０’）の前記移動可能なフレーム（７１）は、前記主コンベアベルトのための側部カバーを形成していることを特徴とする、請求項１に記載の処理設備。
【請求項１７】
前記折り畳みヘッド（６０’）は、前記移動可能なフレーム（７１）と共に保護筐体を形成する端カバー（７５、７６、７５’）を備えていることを特徴とする、請求項１に記載の処理設備。
【請求項１８】
前記遠心コンベアと前記第１のコンベアとが、前記処理設備において同じ長手方向線に配置されていることを特徴とする、請求項１に記載の処理設備。
【請求項１９】
この処理設備は、前記第１のコンベア（３０）によって前記破砕機（１０）の上方で供給可能である第２のコンベア（４０）を備えていることを特徴とする、請求項１に記載の処理設備。
【請求項２０】
前記第２のコンベア（４０）は、四節リンク機構の移動によって前記破砕機の長手方向に移動するように配置されていることを特徴とする、請求項１９に記載の処理設備。
【請求項２１】
前記第２のコンベア（４０）は、前記第１のコンベア（３０）の供給連結から離れる篩の長手方向に移動されるとき、前記処理設備が前記第１のコンベアによって前記破砕機（１０）に供給するように構成されていることを特徴とする、請求項１９又は２０に記載の処理設備。
【請求項２２】
前記破砕機（１０）は、開放した回動可能な側部（１１）を備えている前記破砕機の供給ホッパ（１２）を備え、前記第１のコンベアの排出端（３２’）が、前記開放する回動可能な側部（１１）を介して前記供給ホッパの両側部の間にある搬送位置に配置されていることを特徴とする、請求項１に記載の処理設備。
【請求項２３】
この処理設備は、移動可能な篩分け及び破砕の設備であることを特徴とする、請求項１に記載の処理設備。
【請求項２４】
フレーム（１）と、
破砕機（１０）と、
遠心コンベア（６０）と、
第１のコンベア（３０）と
を備えている鉱物原料処理設備を運転するための方法であって、
前記遠心コンベアが、第１の遊びドラム（７３）と、第２の遊びドラム（６７）と、前記第１の遊びドラム及び前記第２の遊びドラム、回動軸（７０）、ならびに、前記回動軸の周りに回動可能である折り畳みヘッド（６０’）を取り囲む主コンベアベルト（６６）とを備え、
前記折り畳みヘッド（６０’）は、前記遠心コンベアを前記第１のコンベアと原料搬送連結で連結させるために、及び、前記原料搬送連結をさせないために、前記第２の遊びドラム（６７）が軸受取り付けされる移動可能なフレーム（７１）を備え、ている方法において、
前記回動軸（７０）の回動軸線が、前記主コンベアベルト（６６）の周辺の内部の領域に配置され、前記折り畳みヘッド（６０’）が、前記移動可能フレーム（７１）に固定されると共に、前記主コンベアベルトの循環部の外側において、前記第１の遊びドラム（７３）と前記第２の遊びドラム（６７）との間で、前記主コンベアベルト（６６）の循環部に沿って配置される遊びローラ（７４）を備えていおり、
この方法は、前記回動軸（７０）の周りに前記折り畳みヘッド（６０’）を回動することと、前記遊びローラ（７４）によって、前記第１の遊びドラムと前記第２の遊びドラムとの間で前記主コンベアベルト（６６）循環部の張力及び走行経路を維持することとを備えている、鉱物原料処理設備を運転するための方法。
【請求項２５】
前記第１の遊びドラム（７３）を移動することにより、前記主コンベアベルト（６６）の前記張力を変更することを特徴とする、請求項２４に記載の方法。
【発明の詳細な説明】
【技術分野】
【０００１】
本発明は、鉱物原料処理に関する。本発明は、排他的ではないが、鉱物原料処理設備におけるコンベアの解決策に特に関する。
【背景技術】
【０００２】
例えば岩石といった鉱物原料が、爆破又は掘削にる破砕によって大地から得られる。岩石は、天然の石及び砂利、又は建設廃棄物であっても良い。移動式の破砕装置及び固定式の破砕装置が、破砕では用いられている。掘削機又は車輪の付いたローダが、破砕される原料を破砕機の供給ホッパへと投入し、その供給ホッパから、破砕される原料は破砕機の顎部の中に落下し得る、又は、供給機が岩石材料を破砕機に向かって移動させる。破砕される原料は、コンクリート、ブロック、又はアスファルトなど、再生可能な材料であってもよい。
【０００３】
コンベアは、移動可能な鉱物原料処理設備において、設備の長さ、幅、及び／又は高さをしばしば大きくしてしまう。このため、コンベアは、運転の間は、設備の搬送又は保守の間とは別の場所に位置され得る。設備の運転位置から設備の搬送又は保守の位置へとコンベアを移動することは、場合によって、所定位置からコンベアを取り外すことを必要とする。また、コンベアは搬送のために設備に固定されている。多くの場合、コンベア全体が、例えば、許容される搬送ディメンション（高さ、幅、長さ）内に、又は、道路交通における認可を必要とする搬送ディメンション内にコンベアを保つために、その位置から移動させなければならない。
【０００４】
幾つかの公知の鉱物原料処理設備では、破砕機／篩は、コンベアを供給端に向かわせつつ下方へと移動することで搬送／保守の位置へと移動される単一構成のコンベアによって、供給される。公知の篩は、処理設備のフレームの上に伸縮式の作動脚によって支持されている。別の公知の篩は、篩及びフレームと共に四節リンク装置を形成する回動脚によって、処理設備のフレームに支持されている。
【０００５】
コンベアの移動のために使用される移動機構は、重くかつ高価な構造である。破砕機から離すようなコンベアの移動は、設備の供給端にスペースを必要とし、これは、当該設備が、いくつかの設備の処理で運転している移動式の破砕設備であり、供給機が近くにある場合、問題となり得る。この場合、設備は保守の前に移動させなければならない。スライド機構及び伸縮式の作動脚が、設備においてコンベアの長手方向の移動のために使用される。スライド機構は、非常に汚れた環境を許容し、生産の不正確性に対して敏感である。
【０００６】
公知の移動可能な破砕及び篩分けの設備では、破砕機で破砕される原料は、破砕機から篩への閉じたループでコンベアによって循環される。篩の残余物は破砕機へと案内される。篩を通過した生成物は、同じ設備におけるさらなる処理、鉱物原料を処理する別の設備、又は、堆積所へと案内され得る。長い単一構成のコンベアが、篩に供給するためのこの閉じたループの設備で使用され、このコンベアは、シリンダの作動によって搬送位置へと移動される。篩に供給する長いコンベアは破砕機の側にあり、これは搬送の幅を大きくし、篩が供給されるとき、原料は、例えば振動シュート又はホッパによって主コンベアから供給コンベアへと横に移動させる必要性をもたらす。そこで、処理は、余分な摩耗部品（振動シュート、ホッパ）を含み、原料は側方方向から篩へと到達する。ここで、原料が篩上で均一に広がるかが問題となる。代わって、は、設備は、コンベアを破砕機の搬送及び保守のために破砕機から移動させることができる高価で重量があり多くの場合で信頼性のない移動機構を、備えなければいけない。代わって、は、コンベアは、設備の傍らに持ち込まれなければならない別体の吊り上げ機によって持ち上げられなければならず、これは高価で時間が掛かる。
【０００７】
米国特許第８０２０６９１（Ｂ２）号の公報は、遠心力を利用して原料を第２のベルトコンベアの上へと持ち上げる第１のベルトコンベアを示している。
【０００８】
図１２は、原料を上方コンベア２２０の上へと持ち上げる公知の遠心コンベア２１０を示している。上方コンベアは篩２３０に供給する。遠心コンベアのコンベアベルト２１１は、２つの遊びローラ２１２の周りで回るように、両側で支持されている。コンベア２２０の上方コンベアベルトも、同じ遊びローラによって移動される。遠心コンベアのコンベアベルト２１１は、上方遊びドラム２１３を介して循環し、下方遊びドラム２１４の後の到達方向へと戻る。遠心コンベアは、上方コンベアの手前で原料をコンベアベルトから供給するために、回動軸２１５の周りで開くように回動し、これは破線で示されている。
【発明の概要】
【０００９】
本発明の目的は、先行技術と関連して存在する問題を回避又は少なくとも低減することである。本発明の目的は、新規の技術的代替を提供することである。本発明の目的は、鉱物原料処理設備の保守性を高めることである。本発明の目的は、鉱物原料処理設備の運転信頼性、有用性、及び搬送性を高めることである。本発明の目的は、鉱物原料処理設備を簡素化することである。本発明の目的は、例えば、保守と関連する停止時間を短くするといった、鉱物原料の処理を高めることである。
【００１０】
本発明の第１の態様によれば、フレームと、破砕機と、遠心コンベアと、第１のコンベアとを備え、遠心コンベアが、第１の遊びドラムと、第２の遊びドラムと、第１の遊びドラム及び第２の遊びドラム、回動軸、ならびに、回動軸の周りに回動可能である折り畳みヘッドを取り囲む主コンベアベルトとを備え、折り畳みヘッドが、遠心コンベアを第１のコンベアと原料搬送連結で連結させるために、及び、前記原料搬送連結をさせないために、第２の遊びドラムが軸受取り付けされる移動可能フレームを備え、回動軸の回動位置が主コンベアベルトの周辺の内部の領域に配置される鉱物原料処理設備が提供される。
【００１１】
好ましくは、第１のコンベアは、処理設備の外部から原料を受け入れるために供給ホッパを備えている。
【００１２】
好ましくは、カバー板が、供給ホッパの後側に固定され、後方へと向けられる。
【００１３】
好ましくは、掻き取り器が、第２の遊びドラムの所で主コンベアベルトを掻き取るために配置されている。
【００１４】
好ましくは、遠心コンベアは、遠心コンベアの反対の搬送方向の供給の運転モードで主コンベアベルトを支持するために、遠心コンベアのフレームにおいて上向きの湾曲形態で連続的に配置される連続転向ローラを備えている。
【００１５】
好ましくは、転向ローラが、主コンベアベルトの搬送面の側において主コンベアベルトの両側に配置される。
【００１６】
好ましくは、連続転向ローラによって形成される湾曲形態の曲率半径が、一定である、又は、遠心コンベアの搬送方向において小さくなる。
【００１７】
好ましくは、いくつかの転向ローラが、遠心コンベアのフレームとの標準化された固定ディメンションを好ましくは備えている転向ローラセットへと組み立てられる。
【００１８】
好ましくは、第１のコンベアの遊びドラムと遠心コンベアの第２の遊びドラムとは、好ましくは、遠心コンベアの反対の搬送方向の供給の運転モードにおいて同じ鉛直線上に実質的にある。
【００１９】
好ましくは、折り畳みヘッドは、主コンベアベルトの循環部の外側において、第１の遊びドラムと第２の遊びドラムとの間で、主コンベアベルトの循環部に沿って配置される遊びローラを備えている。
【００２０】
好ましくは、遊びローラは、折り畳みヘッドの移動可能フレームに固定される。
【００２１】
好ましくは、遠心コンベアは、破砕機などの処理設備で処理される原料を受け入れるために配置される。
【００２２】
好ましくは、遠心コンベアと第１のコンベアとが原料搬送連結へと連結されるとき、遠心コンベアは、遠心コンベアによって搬送される原料を上方の第１のコンベアへと持ち上げるように配置される。
【００２３】
好ましくは、遠心コンベアの排出端が、第１のコンベアの開始端の上方に設置される。
【００２４】
好ましくは、主コンベアベルトの原料排出領域が、第１のコンベアによって含まれる第１のコンベアベルトの原料受入領域と平行である。
【００２５】
好ましくは、折り畳みヘッドの移動可能フレームは、主コンベアベルトのための側部カバーを形成する。
【００２６】
好ましくは、折り畳みヘッドは、移動可能フレームと共に保護筐体を形成する端カバーを備えている。
【００２７】
好ましくは、遠心コンベアと第１のコンベアとは、処理設備において同じ長手方向線に配置される。
【００２８】
好ましくは、処理設備は、第１のコンベアによって破砕機の上方で供給可能である第２のコンベアを備えている。
【００２９】
好ましくは、第２のコンベアは、四節リンク機構の移動によって破砕機の長手方向に移動するように配置される。
【００３０】
好ましくは、第２のコンベアが、第１のコンベアの供給連結から離れる篩の長手方向に移動されるとき、処理設備は第１のコンベアによって破砕機に供給するように構成される。
【００３１】
好ましくは、破砕機は、開放する回動可能な側部を備えている破砕機の供給ホッパを備え、第１のコンベアの排出端が、開放する回動可能な側部を介して供給ホッパの両側部の間にある搬送位置に配置される。
【００３２】
好ましくは、処理設備は、移動可能な篩分け及び破砕の設備である。
【００３３】
本発明の第２の態様によれば、フレームと、破砕機と、遠心コンベアと、第１のコンベアとを備えている鉱物原料処理設備を運転するための方法であって、遠心コンベアが、第１の遊びドラムと、第２の遊びドラムと、第１の遊びドラム及び第２の遊びドラム、回動軸、ならびに、回動軸の周りに回動可能である折り畳みヘッドを取り囲む主コンベアベルトとを備え、折り畳みヘッドが、遠心コンベアを第１のコンベアと原料搬送連結で連結させるために、及び、前記原料搬送連結をさせないために、第２の遊びドラムが軸受取り付けされる移動可能フレームを備え、回動軸の回動位置が主コンベアベルトの周辺の内部の領域に配置され、折り畳みヘッドが、移動可能フレームに固定されると共に、主コンベアベルトの循環部の外側において、第１の遊びドラムと第２の遊びドラムとの間で、主コンベアベルトの循環部に沿って配置される遊びローラを備え、方法が、回動軸の周りに折り畳みヘッドを回動することと、遊びローラによって、第１の遊びドラムと第２の遊びドラムとの間で主コンベアベルトの循環部の張力及び走行経路を維持することとを備えている、鉱物原料処理設備を運転するための方法が提供される。
【００３４】
好ましくは、第１の遊びドラムを移動することで、主コンベアベルトの張力を変更する。
【００３５】
好ましくは、破砕機は、以下のもの、すなわち、ジョークラッシャ、水平シャフトインパクタ、鉛直シャフトインパクタ、旋動式破砕機、コーン破砕機のうちのいずれかである。
【００３６】
好ましくは、鉱物原料処理設備は、移動可能な篩分け及び破砕の設備などの移動可能な処理設備である。
【００３７】
破砕機の下方から到達する原料は、遠心コンベアによって第１のコンベアの開始端へと供給され得る。好ましくは、第１のコンベアには、破砕機及び／又は篩に加えて、設備の閉じたループ処理の外部から到達する原料が供給され得る供給ホッパが備え付けられる。
【００３８】
設備は、いずれの側から、又は、供給端の方向から直接的に、より自由に供給され得る。供給ホッパは、設備の中心線に備え付けられるとき、供給方向が設備の中心線の一方の側だけに限定されないため、外部からの設備の供給をより容易にする。
【００３９】
設備に供給するコンベアは、同じ線上に備え付けられてよく、そうでなければ、互いの上に備え付けられ、処理の観点による別の振動シュートは不要である。
【００４０】
ある場合には、搬送位置で破砕機の別々の側部で移動可能な第１のコンベア及び第２のコンベアが、設備の中心線におけるコンベアの備え付けを可能にし、これにより、いくつかの利点がもたらされる。コンベアの側方方向での移動が必ずしも必要とはされず、ここにおいて、設備は簡素化でき、コストが低減され得る。
【００４１】
篩の上方に配置されるコンベアは、搬送高さに到達するために、必ずしも取り外される必要はないが、このコンベアは、取り外すことなく、最上位のスクリーンデッキに向かって移動できる。ある場合には、コンベアは、側部の最も上の高さの下方で、篩の側方に配置される側部同士の間に設置され得る。
【００４２】
好ましくは、篩の上方において、長手方向及び中央で／篩備え付け可能コンベアに対する中心線で、原料を篩に排出するための別体の摩耗する排出ホッパを必要とせず、排出位置が、篩の中心線における望ましい位置に定まる。
【００４３】
好ましくは、処理に供給するために運転される第１のコンベアは、回動軸を備えてもよく、この回動軸を用いることで、搬送位置（搬送高さ）にあるコンベアの端の回動が、所定位置から移動することなく、又は、コンベア全体を取り外すことなく、可能とされる。回動軸を利用するため、コンベアの端は上方へと回動でき、これは、例えば、摩耗部品を交換するときに持ち上げ装置を用いることに対して、破砕機の周囲及び上方により良いメンテナンススペースを許容する。
【００４４】
破砕機は、第１のコンベアによって、又は、設備に依存して、例えば篩にさらに供給する例えば第２のコンベアによって、直接的に供給できる。
【００４５】
コンベアを移動させるように意図された高価で不便な機構は、構造から除かれたままとされている。いずれにせよ、破砕機の上方の保守スペースを損なわずに済む。
【００４６】
同じ第１のコンベアは、篩のある設備及び篩のない設備の両方で使用できる。
【００４７】
機械の搬送長さ及び／又は搬送高さは、第１のコンベア及び／又は第２のコンベアが所定位置から取り外される必要のない場合、低くされ得る。
【００４８】
破砕機／篩に供給するコンベアの幅は、コンベアが遠心コンベア上にあり、遠心コンベアの傍らにないため、設備の幅に直接的には影響を与えない。そのため、より幅広である高い位置の供給コンベアを使用でき、しかしながら、より小さい搬送幅が実行され得る。破砕機の下から延びる主コンベアは、供給ホッパの大きさを制限しない。
【００４９】
破砕機／篩に供給する第１のコンベアの線は、原料が遠心コンベアの端部分において長い鉛直距離で上昇するため、より短い距離でより高くなる。従って、提示されている解決策は、以前に知られているものより、実質的により短い処理設備を可能にする。
【００５０】
遠心コンベアの折り畳みヘッドは、非常にコンパクトで容易に保守可能に形成できる。いくつかの転向ローラから形成される転向ローラのセット、又は、単一の転向ローラは交換でき、メンテナンス作業は、折り畳みヘッドと、転向ローラのセットの前方の外側にある下方コンベアベルトとを回動することで、容易にされ得る。転向ローラのセットの固定システムは、下方コンベアによる異なる上昇、とりわけ、一定の半径、又は、上向き方向において半径が小さくなることを可能にし、ここにおいて、遠心力が経路での進行と共に増大し、原料は、より遅いコンベア速度でも上昇され得る、又は、短いコンベアで高く上昇され得る。コンベアベルトの周辺の内部にある領域における折り畳みヘッドの回動軸の配置は、非常に小さい長手方向のディメンション及び体積内で、折り畳みヘッドの回動を可能にする。
【００５１】
本発明の異なる実施形態が、本発明の一部の態様との関連のみにおいて、図示される、又は、図示されている。当業者は、本発明の態様のいずれかの実施形態が、本発明の同じ態様、及び、他の態様のみに適用できる、又は、同様に他の実施形態との組合せで適用できることを理解する。
【００５２】
本発明は、例を用いて、添付の図面を参照して説明されることになる。
【図面の簡単な説明】
【００５３】
【図１】図１は、篩分け及び破砕の位置にある本発明の第１の好ましい実施形態による鉱物原料処理設備を示している。
【図２】図２は、搬送位置にある図１の処理設備を示している。
【図３】図３は、開位置に回動されている、処理設備の遠心コンベアに形成された折り畳みヘッドの図。
【図４】図４は、閉位置に回動されている図３の折り畳みヘッドを示している。
【図５】図５は、図３の折り畳みヘッドの移動状態を示している。
【図６】図６は、保守位置にある図３の折り畳みヘッドを示している。
【図７】図７は、コンベアの異なる位置での図１の処理設備を示している。
【図８】図８は、コンベアの異なる位置での図１の処理設備を示している。
【図９】図９は、コンベアの異なる位置での図１の処理設備を示している。
【図１０】図１０は、コンベアの異なる位置での図１の処理設備を示している。
【図１１】図１１は、コンベアの異なる位置での図１の処理設備を示している。
【図１２】図１２は、先行技術の遠心コンベアを示している。
【発明を実施するための形態】
【００５４】
以下の記載では、同様の符号は同様の部材を表している。示されている図面が完全に縮尺通りではないこと、及び、図面が、本発明の一部の例示の実施形態を示す目的を主に供することは、理解されるべきである。
【００５５】
図１及び図２に示されている鉱物原料処理設備１００は、フレーム１と、このフレームに固定された破砕機１０と、モータモジュール５０と、主コンベアとしての遠心コンベア６０と、さらに第１のコンベア３０とを備えている。さらに、設備は、四節リンク装置を形成している、支持アームによって夫々フレームに装着されている第２のコンベア４０と、篩２０と、及び排出コンベア６１とを備えている。前記フレーム１は、この実施形態では、処理設備を移動させるための軌道ベースをさらに備えている。前記破砕機、篩、又は又は、これら両方は、処理装置として、処理設備１００で同時に運転され得る。
【００５６】
前記遠心コンベアは、処理された原料を破砕機１０又は篩２０から受けとる。原料は、他のコンベアなどの、設備のほぼ中心線に好ましくは配置されている第１のコンベア３０の上へと、遠心コンベアによって上昇される。
【００５７】
第１のコンベア３０及び第２のコンベア４０は、搬送連結で連結可能であって２つの部品に分離可能である１つのコンベアを形成している。破砕機が処理装置として運転され、又、篩が運転されないのが望まれるとき、前記第２のコンベアは、第１のコンベアの搬送連結から離され、第１のコンベアが破砕機１０に供給する。破砕機と篩とが処理装置として運転されるのが望まれるとき、第１のコンベアの排出位置３２’は、第２のコンベアの開始端の上方（好ましくは破砕機の上方）にあり、第２のコンベアは篩へと排出し、篩の残余物は破砕機へと供給される。これらコンベア３０、４０の連結された搬送運転における後半のコンベアである第２のコンベア４０の排出位置は、好ましくは、篩の幅方向で見たときの篩の中心線に配置されている。篩が処理装置として運転され、又、破砕機が運転されないのが望まれるとき、第２のコンベアは第１のコンベアとの搬送連結にあり、篩の残余物は破砕機へと案内されない。
【００５８】
前記第２のコンベア４０は、篩２０と共に移動されるように、好ましくは、篩２０が取り付けられているサブフレーム２７に配置されている。従って、第２のコンベアは、篩と共に破砕機の前側における搬送位置へと、即ち、以下においてより詳細に説明される第１のコンベアの搬送位置に対する反対側へと移動する。篩組立体が、四節リンク装置を形成している支持アームによって設備１００のフレームに支持されており、篩がフレームに向かって搬送位置へと移動されているとき、篩と、篩と共に移動する第２のコンベアとは、前方及び下方に移動する。
【００５９】
本記載において、用語「前方方向」、「前側」、「設備の前端」、及び対応する言葉は、第１及び第２のコンベアにおける原料搬送方向と同じ方向を指している。
【００６０】
前記第１のコンベア３０及び第２のコンベア４０は、図１における破砕及び篩分けの間の運転位置にある。第１のコンベア３０は、第２のコンベア４０を介して篩２０に供給し、篩の残余物は、最上位のスクリーンデッキから破砕機１０の供給ホッパ１２へと移動する。篩を通って落下した原料は、篩の下方にある排出コンベア６１に少なくともよって、設備１００の外部に移動する。スクリーンデッキ２２、２３（図６）などのおそらく下方の残余物は、排出コンベアによって設備の外部へと移動され得る。破砕可能な原料が、外部から設備１００に、第１のコンベア３０の供給ホッパ３４の中へと、破砕機の供給ホッパ１２へと直接的に、又は、破砕機１０と供給ホッパ３４の両方へと持たらされる。図１において、破砕された原料は、破砕機１０から、原料を第１のコンベア３０へと移動させる主コンベア６０へと移動する。
【００６１】
互いに独立して移動可能である第１のコンベア３０及び第２のコンベア４０は、篩のための機能的に連続して連結した供給コンベアを形成し、この供給コンベアは、好ましくは、設備の幅方向で見たときに設備１００の中間にあるモータモジュール及び篩の上を通過している。コンベア３０、４０は、破砕機によって形成されている設備の最も高い位置（例えば、破砕機の供給ホッパ１２）の別々の側部で主に移動され、即ち、破砕機の後側に第１のコンベアがあり、破砕機の前側に第２のコンベアがある。
【００６２】
破砕運転だけの場合、篩は、第２のコンベア４０を第１のコンベア３０の供給連結から離すように移動することで、通過させることができる。従って、第１のコンベアは、破砕機１０に直接的に供給できる。代替又は追加で、破砕される原料は、設備１００の外部から破砕機の供給ホッパ１２へと直接的に供給される。
【００６３】
破砕及び／又は篩分けされた原料は、遠心コンベア６０によって、第１のコンベア３０へと、又は、遠心コンベア６０と第１のコンベア３０との間の供給連結を遮断することで設備の外部へと、移動され得る。これは、例えば、破砕された原料を、第１のコンベア３０の代わりに設備１００の外部へと直接的に排出するために、遠心コンベアを制御することで実施でき、これは、図３に示されている、遠心コンベア６０の折り畳みヘッド６０’の開回動位置で示されている。
【００６４】
一部の好ましい実施形態によれば、第１のコンベア３０は、搬送位置及び運転位置へと、及び、一部場合には保守位置へも、回動軸３３のおかげで回動する。従って、第１のコンベアは、第１の原料搬送部３１と、第２の原料搬送部３２と、第２の原料搬送部が第１の原料搬送部に対して回動可能に装着される回動軸３３とを備えている。
【００６５】
好ましくは、第１のコンベア３０の開始端、即ち、第１の原料搬送部３１は設備に固定的に備え付けられ、第１のコンベアの端、即ち、第２の原料搬送部３２は、水平位置においてモータモジュール５０の上方で搬送位置に回動し、そのため、搬送高さに一致する（図２及び図９）。
【００６６】
好ましい実施形態によれば、第１のコンベア３０は、第１の原料搬送部３１及び第２の原料搬送部３２の全体に渡って連続した搬送面を形成するベルトのような無端搬送部材を備えている。好ましくは、第２のコンベア４０は、ベルトのような無端搬送部材を備えている。
【００６７】
別の好ましい実施形態によれば、第１のコンベア３０は、第１のコンベアの全体に渡って連続している搬送面を形成している、第１の原料搬送部３１における第１のベルトのような第１の無端搬送部材と、第２の原料搬送部３２における第２のベルトなどの第２の無端搬送部材とを備えている。
【００６８】
好ましくは、前記破砕機１０の最も高い位置は、設備の運転の間に破砕機に固定又は一体化されている供給ホッパ１２によって定められ、この供給ホッパは、第１のコンベア３０の第２の原料搬送部３２に開放された回動可能な側部１１を備えている。
【００６９】
幾つかの好ましい実施形態によれば、第１のコンベア３０は、第１の原料搬送部３１及び第２の原料搬送部３２の上方に形成され、回動軸３３において折り畳み可能で、好ましくは第１のコンベアの搬送面の上方に均一な粉塵の遮蔽を形成する粉塵カバー（図示せず）を備えている。幾つか幾つかの実施形態では、第１の原料搬送部３１に供給ホッパはない。幾つかの実施形態では、第１の原料搬送部３１における粉塵カバーは、原料搬送方向において供給ホッパの後から始まるように配置される。一部の好ましい実施形態によれば、第２のコンベア４０は、第２のコンベアの搬送面の上方に実質的に均一な粉塵の遮蔽を形成する粉塵カバー（図示せず）を備えている。
【００７０】
図に示されている第２のコンベア４０は、篩２０のサブフレーム２７に装着され、篩と共に、搬送位置への経路の少なくとも一部で移動する。篩２０は、好ましくは柔軟性を有するようにしてサブフレーム２７に固定されている。篩及びサブフレームによって形成された篩組立体２０、２７は、フレーム１及びサブフレーム２７と共に第１の四節リンク装置を形成する第１の支持アーム２５及び第２の支持アーム２６によって、設備のフレーム１に支持されている。
【００７１】
篩が搬送位置へと移動されるとき、篩は、前方及び下方の両方に移動する。さらに、水平に対する篩の傾斜は、四節リンク装置が所望の方法でディメンション決めされるとき、必要に応じて変更できる。第１の四節リンク装置は、好ましくは、図の例では支持アーム２５とフレーム１との間で作用する油圧シリンダ２８によって移動される。篩が搬送位置へと移動されたとき、破砕機の上方側が自由なままとされるため、摩耗部品の交換のための保守スペースが作り出される。さらに、破砕機と篩との間にスペースが作り出されるため、篩の網を交換するためのスペースが作り出される。
【００７２】
好ましくは、第１の四節リンク装置２５、２６、２７、１は、運転の時間の間、上方位置にロックされる。ロック具２９が篩分けの間に負荷を受け入れ、設備の運転を安全にしている。好ましくは、このロックは、長さが調節可能であるターンバックルなど、リアクションバー２９によって実施される。第１の四節リンク装置の上方位置では、ターンバックル２９が、支持アーム２５とフレーム１との間に備え付けられ、例えば所望のプリテンションへと、適切な長さを有するように調節される。ターンバックルの固定の例は、ターンバックルの端において、支持アーム２５及びフレーム１における固定穴へのピンによるループの固定である。シリンダ２８は、例えば、篩組立体における原料の不均一な分布のために起こる運転と、篩の振動する篩分け動作との間、負荷に対して固定されることで保護され得る。好ましくは、ターンバックルの上方端は、支持アーム２５に回動可能に固定され、下方端は、フレーム１に固定される固定ブラケットに固定した状態で設置される。搬送位置へと移動するとき、ターンバックルの下方端は、フレームの上方面で、フレームの上方面と実質的に平行である搬送位置へと滑るように配置されている。
【００７３】
第２のコンベア４０は、篩２０の上方に備え付けられている。第２のコンベアは、篩に対して所定位置に固定的に備え付けられるが、好ましくは、篩の上方の第２のコンベアの支持は、搬送高さを低くするのを容易にするために、及び、篩の移動距離に加えて、設備１００の長手方向に第２のコンベアを移動するために、移動可能である。長手方向及び高さ方向に第２のコンベアが移動できることで、例えばメンテナンス及び持ち上げといったために破砕機の周りに、及び、篩の網を交換するために篩に、追加のスペースを提供している。
【００７４】
好ましくは、移動可能で回動される第３の支持アーム４１と第４の支持アーム４２とが、第２のコンベアを支持している。回動される支持アーム４１、４２は、好ましくは、第２のコンベア及び篩の側部に対で配置され、サブフレーム２７及び第２のコンベア４０と共に第２の四節リンク機構を形成している。第２の四節リンク装置は、支持アーム４１とサブフレーム２７との間で図の例では作用する油圧シリンダ対４３などの１つの制御可能な動作アクチュエータによって動作でき、多くのシリンダを備えた複雑なコンベア動作機構は回避され得る。第２のコンベアは、これら支持アーム４１、４２によって、篩にできるだけ近い搬送位置に低下でき、そのため搬送高さを最低限にする。
【００７５】
好ましくは、第２の四節リンク機構は、支持アーム４１、４２及びサブフレーム２７に形成されている穴にピンが備え付け可能であるピン−穴の組合せをロック具として備えている。図１及び図２の例では、油圧シリンダ４３が第３の支持アーム４１を移動させ、ピン−穴のロック具が、第４の支持アーム４２に配置されている。
【００７６】
排出コンベア６１は、好ましくは、支持アーム２５の固定位置に近い篩２０の下方において、排出コンベアの第１の端６２でサブフレーム２７に固定されている。排出コンベア６１は、好ましくは篩の中心領域に形成されるコンベアの回動軸６３の所での篩２０の下方において（長手方向における篩の中心領域において）、第２の位置でもサブフレーム２７に装着されている。排出コンベア６１の排出端６４は、コンベアの回動軸によって、サブフレーム２７に対して調節可能な距離である。排出端６４は、排出端のサブフレームからの最大距離を定めると共に、サブフレーム及び篩に向かう排出端の移動をさらに許容する支持体６５によって、運転位置でサブフレーム２７（サブフレームの延長部）に支持される。好ましくは、この支持体は、チェーン６５である。搬送位置では、排出端６４は、フレームの支持アーム２６に、好ましくは、平行な支持アーム２６同士の間の支持構造２６’に、対応している。篩組立体がリンクアーム機構により下方へと下げられるとき、排出コンベアの排出端６４は、支持構造２６’に依存し、排出端６４は篩に向かってより近くに移動する。排出コンベア６１と篩２０との間の隙間は、篩が上昇されるときに若干開く。
【００７７】
図２では、処理設備１００の第１のコンベア３０は、搬送位置において、主に破砕機の第１の側部へと、第２の位置に（下方に）回動されている。第２のコンベア４０は、図１の位置から、好ましくは篩の両側に配置された側部同士の間において、主に破砕機の第２の側へと、篩の最上位のスクリーンデッキに向かってより近くに、さらに下方へと下げられ、ここにおいて、第２のコンベア４０は搬送位置にもある。第１のコンベア３０の第２の原料搬送部３２の排出端３２’は、好ましくは破砕機上で、供給ホッパの両側の間において、破砕機の供給ホッパ１２の開放された回動可能な側部１１によって形成された開口を通じて、主に破砕機１０の後側へと下げられている。従って、第１のコンベア３０及び第２のコンベア４０の最も高い位置は、処理装置の最も高い位置によって定められる高さを実質的に越えないような高さにある。図２の場合では、設備１００の最も高い位置、即ち、搬送高さは、破砕機の供給ホッパの側部によって定められている。
【００７８】
図３〜図６及び図１１は、この設備１００で適用される遠心コンベア６０と、反対の搬送方向に搬送すると共に遠心コンベアの上方に配置されている第１のコンベア３０とを示している。搬送される原料の走行方向は、コンベアベルトの上方に描かれている一様な矢印で示されている。
【００７９】
第１のコンベアは、遊びドラム３７の周りを走行するように配置されている第１のコンベアベルト３６を備え、第１のコンベアベルト３６は、その内側の内側ローラ３８と外側の外側ローラ３９とによって支持されている。
【００８０】
好ましくは追加的に、供給ホッパ３４が、例えば、第１のコンベアの両側３１’の間においてコンベア８１によって供給される原料流れといった、外部から供給された原料流れ８０を案内するために、第１のコンベア３０に配置されている。
【００８１】
前記遠心コンベア６０は、第１の遊びドラム７３及び第２の遊びドラム６７の周りを走行するように配置されている主コンベアベルト６６を備え、主コンベアベルト６６は、その内側の内側ローラ６８と外側の外側ローラ６９とによって支持されている。さらに、遠心コンベア６０は、折り畳みヘッド６０’の移動可能なフレーム７１に装着されている遊びローラ７４を備えており、その遊びローラによって、主コンベアベルト６６の張力及び走行経路が、折り畳みヘッド６０’の異なる位置で維持される。遊びローラ７４は、主コンベアベルト６６の循環部の外側において、第１の遊びドラム７３と第２の遊びドラム６７との間で、主コンベアベルト６６の循環に沿って配置されている。遊びローラは、折り畳みヘッド６０’の開いた回動位置であっても、主コンベアベルトを第１の遊びドラム７３と接触したまま維持し、ここにおいて、主コンベアベルトの垂れ下りを防止するために、及び、主コンベアベルトを端カバー７５、７６から離して維持するために、主コンベアベルトの張力を大きくすることは必要ではない。遊びローラ７４によって、主コンベアベルトが内側から、とりわけ粉塵カバーとして作用する端カバー７５、７６へと当たることが、防止され得る。
【００８２】
好ましくは、第１の遊びドラム７３は、処理設備のフレーム１に支持されている主コンベア６０のフレーム７９に軸受により取り付けられている。好ましくは、第１の遊びドラム７３は、回動アーム（図では示されていない）によって回動シャフト７３’に軸受により取り付けられ、これは、例えば、主コンベアベルト６６の引っ張りの後、又は、折り畳みヘッドが異なる運転状態の間で移動されるとき、主コンベアベルト６６の張力調節のために第２の遊びドラムを用いることを可能にする。
【００８３】
図１１は、一実施形態と関連する第１の遊びドラム７３の状況をより詳細に示している。この第１の遊びドラムは、調節機構７３”によって回動シャフト７３’の周りの所望の位置へと押されることができる。内側遊びローラ６８’は、好ましくは、外側縁の直径が内側縁の直径より大きい円錐形である。代わって、代わって、遊びローラ６８’は、円筒形であり、主コンベアベルト６６が滑走台のように定まるように、傾斜した位置で備え付けられている。主コンベアベルト６６は、第２の遊びドラム６７と内側支持ローラ６８との間の支持されていない距離が長くなり過ぎないように、遊びローラ６８’によって支持され得る。アクチュエータ６０”が、折り畳みヘッド６０’を回動シャフト７０の周りで移動させるために、遠心コンベアのフレーム７９と折り畳みヘッド６０’の移動可能なフレーム７１との間に配置されている。
【００８４】
主コンベアベルト６６は、転向するように両側で支持され、第１のコンベア３０の遊びドラム３７の周りで、連続した転向ローラ７２によって支持されている。好ましくは、いくつかの転向ローラ７２が、１つの転向ローラセット７８を形成している。
【００８５】
図３〜図６では、前記転向ローラセット７８の前に配置されている上方の第１のコンベア３０の遊びドラム３７と、転向ローラセットの上方に配置されている下方の遠心コンベア６０の第２の遊びドラム６７とが、好ましくは実質的に同じ鉛直線上にあり、ここにおいて、設備の長手方向におけるスペースの配分が小さくでき、供給ホッパ３４は、コンベアの折り畳み位置のできるだけ近くで第１のコンベア３０に配置され得る。従って、遠心コンベア６０の第２の遊びドラム６７の上方に掻き取り器７７を配置し、カバー板３５を、例えば供給ホッパに、掻き取り器の上方で固定することで、掻き取り器７７によって主コンベアベルト６６から開放された原料の飛散が、防止され得る、又は、少なくとも低減され得る。
【００８６】
好ましくは、前記転向ローラセット７８は、遠心コンベア６０のフレーム７９に適合するために、標準化された装着方法でディメンション決めされている。転向ローラセット７８は、例えば、製造、備え付け、及び取り外しとの関連において、転向ローラの取り扱いをより容易にしている。これは、設備の停止時間を短くする。例えば３つ又は４つの転向ローラのような、いくつかの転向ローラによって形成された転向ローラセット７８は、メンテナンスとの関連において遠心コンベア６０から取り外しでき、ローラを交換するための保守位置へと全体的に移動され得る。転向ローラセットは、図６に示されるような１つの組立体として、ベルト６６の一方の側にすべての転向ローラ７２を備えてもよい。転向ローラセットは、遠心コンベアのフレーム７９への同じ固定ディメンションを有する、対応する転向ローラセット、又は、あらかじめ組み立てられた異なる転向ローラセットで、交換され得る。転向ローラセットの転向ローラ７２は、好ましくは、端において２つの板７８’へと固定され、それら板の内側は、遠心コンベアで搬送される原料と接触し、転向ローラとベルトとの間への原料の進入を防止する。外側の板は、遠心コンベアのフレーム７９に固定され、コンベアの外部から到達する粉塵／石の転向ローラとコンベアベルト６６との間への進入を防止する。
【００８７】
転向ローラのセット７８の固定システムは、下方コンベアの異なる上昇を可能にする。一定の半径が図では示されている。代わって、これらの半径は、上向きの走行に沿って小さくなり、ここにおいて、遠心力が走行に沿って増加し、原料はより遅いコンベア速度でも上昇され得る。
【００８８】
第２の遊びドラム６７は、遠心コンベア６０のフレームに形成されている回動軸７０を中心として回動するように、軸受により取り付けされている。折り畳みヘッド６０’は、回動軸の回動位置が主コンベアベルト６６の周辺の内側の領域の両方の運転状態に位置されるように、２つの運転状態の間で回動する。図１２に示される公知の解決策では、回動軸２１５は、コンベア２１０、２１１のかなり下方にある。先行技術に対する有利な点は、回動がより小さい体積(volume)で起こることである。
【００８９】
好ましくは、折り畳みヘッド６０’の回動軸７０は、第２の遊びドラム６７と第１の遊びドラム７３との間の領域に配置されている。第２の遊びドラム６７及び遊びローラ７４は、回動軸７０の周りで回動するように軸受により取り付けされている折り畳みヘッド６０’の移動可能なフレーム７１に軸受により取り付けされている。
【００９０】
折り畳みヘッド６０’の領域の中心に回動軸７０を配置することは、とりわけ、折り畳みヘッド６０’の移動可能部品の遮蔽及び粉塵遮蔽が、構造的にコンパクトに形成でき、これが装置を短くするという利点によって支持される。作業におけるさらなる安全性が、支持アームなど、遮蔽を通じた移動可能部品が構造に形成される必要がないため、高められる。遮蔽は、漏れのないように作られ得る。操作者が回動機構の開放スロート部に陥る危険性は、低減又は回避される。遮蔽は、粉塵、石、手、足など、望ましくない粒子がコンベアベルトとローラとの間に入るのを防止する。
【００９１】
折り畳みヘッドのフレーム７１は、転向ローラ７２及びコンベアベルト６６などの移動可能部品を側部において包囲する側部カバーを形成している。端カバーもフレーム７１に取り付けられており、第１のカバー７５と第２のカバー７６とを備えている。好ましくは、第１のカバー７５及び第２のカバー７６は、例えば回動軸７５’によって、互いと連結されており（図５）、ここにおいて、端カバー７５、７６は、折り畳みヘッドの異なる回動位置において、折り畳みヘッド６０’の側部カバー７１同士の間に単一のカバーを形成している。折り畳みヘッドのフレーム７１及び端カバー７５、７６、７５’は、保護筐体を形成している。保護筐体は、とりわけ、粉塵及び石などの外来物が保護筐体の内部に進入するのを防止する。
【００９２】
図３は、原料が堆積所４２へと排出される開いた回動位置における処理設備１００の遠心コンベア６０に形成されている折り畳みヘッド６０’を示している。転向ローラ７２が露呈されており、遊びローラ７４はベルト６６の張力を維持している。下方カバー７６は、折り畳みヘッド６０’の回動の間、第１の遊びドラム７３を遮蔽し続ける。原料８０は、選択的な供給ホッパ３４を介して設備へと供給され得る。
【００９３】
図４の遠心搬送位置では、折り畳みヘッド６０’は、主コンベア６０と第１のコンベア３０とが搬送連結している閉位置へと移動されている。閉位置では、折り畳みヘッド６０’のカバー７５、７６は、移動部材によって形成されるスロート部を有さない連結された保護筐体を形成する。原料８０は、選択的な供給ホッパ３４へと供給され得る。
【００９４】
原料は、実質的にコンベアベルトの方向において遠心コンベアから第１のコンベアベルトへと出て行くように、遠心コンベア６０によって第１のコンベア３０の上へと上昇され得る。従って、石は、第１のコンベアのコンベアベルト３６に向かって、次に、供給ホッパ３４の後壁３４’に向かって、放り投げられない。好ましくは、主コンベアベルト６６の原料排出領域は、遠心コンベアの上昇位置にある第１のコンベアベルト３６の原料受入領域と平行である。
【００９５】
図５では、折り畳みヘッド６０’の移動範囲の下方区域において設備の外部に供給することが可能である。転向ローラセット７８は、主コンベアベルトが後方へ回動されいるとき、保守ために露出される。引っ張りローラ７４は、主コンベアベルト６６を引っ張ったまま維持する。
【００９６】
コンベアからのあらゆる落下粒子から遊びローラの表面をきれいに保つ掻き取り器が、遊びローラ７４（遊びドラム６７の掻き取り器７７など）との関連において配置でき、遊びローラとコンベアベルトとの間への落下粒子の進入を防止する。掻き取り器は、例えば、回動軸７０又は７３’の間に取り付けできる。
【００９７】
図６は、保守位置にある折り畳みヘッド６０’を示している。遠心コンベアは、容易に保守可能に形成されている。転向ローラ７２の取り扱いと関連して第１のコンベアを取り外すことは必要ではないが、単一の転向ローラ７２であっても、必要により、取り外し及び取り付けができる。遠心コンベア及び転向ローラの状態は、折り畳みヘッド６０’を保守位置へと開けるように回動することで、点検するのが容易である。
【００９８】
図７〜図１０の処理設備１００では、篩２０は、第１のスクリーンデッキ２１と、第２のスクリーンデッキ２２及び第３のスクリーンデッキ２３など、所望の数の下方スクリーンデッキとを備えている複数層又は複数デッキの篩として示されている。篩は、篩及びフレームと共に四節リンク装置を形成している回動可能な支持アーム２５、２６によって、フレームに支持されている。遠心コンベア６０は閉位置に回動されている。
【００９９】
図７では、第１のコンベア３０及び第２のコンベア４０は、篩分け及び破砕の間、図１と同じ運転位置にある。最上位のスクリーンデッキ２１の残余物は、篩から破砕機へと案内される。篩２０は、篩及び第２のコンベア４０を運転位置へと移動するために、及び、運転位置から離すように移動するように、支持アーム２５、２６を備えている。
【０１００】
図８では、処理設備１００の第１のコンベア３０は、破砕機１０に直接的に供給する運転位置にある。篩２０は、図８の位置における破砕の間、運転されない。篩２０及び第２のコンベア４０は、支持アーム２５、２６によって運転位置から離すように移動され、設備１００の長手方向に回動可能である支持アームによって支持され、設備のフレーム１へとより近くに下げられる。第２のコンベア４０は、篩を支持するリンク機構２５、２６の移動によって、第１のコンベア３０の供給連結から離すように移動される。好ましくは、第２のコンベア４０の開始端は、設備の長手方向で見たとき、第１のコンベアより破砕機の他方側へと移動され、ここにおいて、篩は、コンベア４０が篩２０に対してなおも運転位置にある間に、又は、支持アーム４１、４２によって支持される運転位置よりもさらに高く移動されている間に、保守できる。
【０１０１】
図９では、処理設備１００の第１のコンベア３０は、第２の位置へと回動された搬送位置（好ましくは、水平位置）にある。また、第２のコンベア４０は搬送位置（好ましくは、水平位置）にある。第２の原料搬送部３２の排出端は、好ましくは破砕機上で、供給ホッパの両側の間において、破砕機の供給ホッパの開放する回動可能な側部１１によって形成された開口を通じて、下げられる。従って、第１のコンベア３０及び第２のコンベア４０の最も高い位置は、処理装置の最も高い位置によって定められる高さを実質的に越えない高さにある。
【０１０２】
図１０では、第２の原料搬送部３２の排出端は、例えば保守のために、図８の位置から、第１の位置に対して反対の回動方向（好ましくは、鉛直上向き）に回動されている。この第３の位置では、第２の原料搬送部の排出端の突出が、上方から見たとき、破砕機１０及びモータモジュール５０の持ち上げ中心を自由にしたままにするように配置される。持ち上げロープなどの持ち上げ装置９０と把持部材とは、モータモジュール５０の持ち上げの間、第２の原料搬送部３２に当たらない。第３の位置は、例えば保守との関連において、第１のコンベア３０を所定位置から除去すること、又は、第１のコンベア３０を取り外すことを必要とせずに、破砕機、破砕機の摩耗部品、又はモータモジュールの持ち上げを可能にする。好ましくは、第３の位置では、上方から見たときの排出端の突出が、処理装置又はモータモジュールの突出と一致しない、又は、処理装置／モータモジュールの突出を自由にしたままにするように配置される。好ましくは、処理装置、モータモジュール、又はそれらの部品が中心又は重心から持ち上げられるとき、持ち上げスペースが、少なくとも処理装置の重心において、持ち上げワイヤのために自由にされている。また、第２のコンベア４０は、破砕機１０から離れて篩上に移動されており（図９においてなど）、保守及び持ち上げを可能にしている。
【０１０３】
先に提示されている処理設備は、軌道ベースの代わりに、全部又は一部で、車輪に基づかれてもよく、又は、脚で移動可能であってもよい。代わって、処理設備は、例えば、トラック又は別の外部動力源によって、移動可能／牽引可能であってもよい。先の提示に加えて、処理設備は、固定式の処理設備であってもよい。
【０１０４】
前述の記載は、本発明の幾つかの実施形態の非限定的な例を提供している。本発明が、提示されている詳細に制限されないことと、しかし本発明が他の同等の手段で実施され得ることとは、当業者には明らかである。
【０１０５】
先に開示されている実施形態の特徴の一部は、他の特徴を用いずに利益を得るために使用されてもよい。そのため、前述の記載は、本発明の限定としてではなく、本発明の原理の単なる例示として考慮されるものである。従って、本発明の範囲は、添付の特許請求の範囲によって限定されるだけである。
【図１】
2016536128.tif 000003
【図２】
2016536128.tif 000004
【図３】
2016536128.tif 000005
【図４】
2016536128.tif 000006
【図５】
2016536128.tif 000007
【図６】
2016536128.tif 000008
【図７】
2016536128.tif 000009
【図８】
2016536128.tif 000010
【図９】
2016536128.tif 000011
【図１０】
2016536128.tif 000012
【図１１】
2016536128.tif 000013
【図１２】
2016536128.tif 000014
【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
フレーム（１）と、
破砕機（１０）と、
遠心コンベア（６０）と、
第１のコンベア（３０）と
を備え、
前記遠心コンベアは、第１の遊びドラム（７３）と、第２の遊びドラム（６７）と、前記第１の遊びドラム及び前記第２の遊びドラム、回動軸（７０）、ならびに、前記回動軸の周りに回動可能である折り畳みヘッド（６０’）を取り囲む主コンベアベルト（６６）とを有する鉱物原料処理設備（１００）において、
前記折り畳みヘッド（６０’）は、鉱物原料を前記第１のコンベア(３０)に搬送すように、前記遠心コンベアを前記第１のコンベアと原料搬送連結で連結させるために、及び、第１のコンベアの代わりに、処理設備(１００)の外に直接鉱物原料を排出するように、前記原料搬送連結をさせないために、前記第２の遊びドラム（６７）は、軸受により取り付けされる移動可能なフレーム（７１）を備え、
前記回動軸（７０）の回動位置が前記主コンベアベルト（６６）の周辺の内部の領域に配置されていることを特徴とする処理設備。
【請求項２】
前記第１のコンベア（３０）は、前記処理設備の外部から原料を受け入れる供給ホッパ（３４）を備えていることを特徴とする、請求項１に記載の処理設備。
【請求項３】
カバー板（３５）が、前記供給ホッパ（３４）の後側に固定され、後方へと向けられていることを特徴とする、請求項２に記載の処理設備。
【請求項４】
掻き取り器（７７）が、前記第２の遊びドラム（６７）の所で前記主コンベアベルト（６６）を掻き取るために配置されることを特徴とする、請求項１乃至３のいずれか１項に記載の処理設備。
【請求項５】
前記遠心コンベアは、前記遠心コンベアの反対の搬送方向の供給の運転モードで前記主コンベアベルト（６６）を支持するために、前記遠心コンベアのフレームにおいて上向きの湾曲形態で連続的に配置されている連続した複数の転向ローラ（７２）を備えていることを特徴とする、請求項１乃至４のいずれか１項に記載の処理設備。
【請求項６】
前記複数の転向ローラ（７２）は、前記主コンベアベルト（６６）の搬送面の側において前記主コンベアベルトの両側に配置されていることを特徴とする、請求項５に記載の処理設備。
【請求項７】
前記連続した複数の転向ローラ（７２）によって形成されている前記湾曲形態の曲率半径が、一定である、又は、前記遠心コンベアの前記搬送方向において小さくなることを特徴とする、請求項５又は６に記載の処理設備。
【請求項８】
前記複数の転向ローラ（７２）は、前記遠心コンベアの前記フレーム（７９）との標準化された固定ディメンションを好ましくは有している転向ローラセット（７８）へと組み立てられることを特徴とする、請求項５乃至７のいずれか１項に記載の処理設備。
【請求項９】
前記第１のコンベア（３０）の遊びドラム（３７）と前記遠心コンベア（６０）の前記第２の遊びドラム（６７）とは、好ましくは、前記遠心コンベアの反対の搬送方向の供給の運転モードにおいて同じ鉛直線上に実質的にあることを特徴とする、請求項１乃至８のいずれか１項に記載の処理設備。
【請求項１０】
前記折り畳みヘッド（６０’）は、前記主コンベアベルトの循環部の外側において、前記第１の遊びドラム（７３）と前記第２の遊びドラム（６７）との間で、前記主コンベアベルト（６６）の循環方向に沿って配置されている遊びローラ（７４）を備えていることを特徴とする、請求項１乃至９のいずれか１項に記載の処理設備。
【請求項１１】
前記遊びローラ（７４）は、前記折り畳みヘッド（６０’）の前記移動可能なフレーム（７１）に装着されることを特徴とする、請求項１０に記載の処理設備。
【請求項１２】
前記遠心コンベアは、破砕機のような前記処理設備で処理される原料を受け入れるように配置されることを特徴とする、請求項１乃至１１のいずれか１項に記載の処理設備。
【請求項１３】
前記遠心コンベアの排出端が、前記第１のコンベアの開始端の上方に設置されていることを特徴とする、請求項１乃至１２のいずれか１項に記載の処理設備。
【請求項１４】
前記主コンベアベルト（６６）の原料排出領域が、前記第１のコンベアの第１のコンベアベルト（３６）の原料受入領域と平行であることを特徴とする、請求項１乃至１３のいずれか１項に記載の処理設備。
【請求項１５】
前記折り畳みヘッド（６０’）の前記移動可能なフレーム（７１）は、前記主コンベアベルトのための側部カバーを形成していることを特徴とする、請求項１乃至１４のいずれか１項に記載の処理設備。
【請求項１６】
前記折り畳みヘッド（６０’）は、前記移動可能なフレーム（７１）と共に保護筐体を形成する端カバー（７５、７６、７５’）を備えていることを特徴とする、請求項１乃至１５のいずれか１項に記載の処理設備。
【請求項１７】
前記遠心コンベアと前記第１のコンベアとが、前記処理設備において同じ長手方向線に配置されていることを特徴とする、請求項１乃至１６のいずれか１項に記載の処理設備。
【請求項１８】
この処理設備は、前記第１のコンベア（３０）によって前記破砕機（１０）の上方で供給可能である第２のコンベア（４０）を備えていることを特徴とする、請求項１乃至１７のいずれか１項に記載の処理設備。
【請求項１９】
前記第２のコンベア（４０）は、四節リンク機構の移動によって前記破砕機の長手方向に移動するように配置されていることを特徴とする、請求項１８に記載の処理設備。
【請求項２０】
前記第２のコンベア（４０）は、前記第１のコンベア（３０）の供給連結から離れる篩の長手方向に移動されるとき、前記処理設備が前記第１のコンベアによって前記破砕機（１０）に供給するように構成されていることを特徴とする、請求項１８又は１９に記載の処理設備。
【請求項２１】
前記破砕機（１０）は、開放した回動可能な側部（１１）を備えている前記破砕機の供給ホッパ（１２）を備え、前記第１のコンベアの排出端（３２’）が、前記開放する回動可能な側部（１１）を介して前記供給ホッパの両側部の間にある搬送位置に配置されていることを特徴とする、請求項１乃至２０のいずれか１項に記載の処理設備。
【請求項２２】
この処理設備は、移動可能な篩分け及び破砕の設備であることを特徴とする、請求項１乃至２１のいずれか１項に記載の処理設備。
【手続補正２】
【補正対象書類名】明細書
【補正対象項目名】００９２
【補正方法】変更
【補正の内容】
【００９２】
図３は、原料が堆積所８２へと排出される開いた回動位置における処理設備１００の遠心コンベア６０に形成されている折り畳みヘッド６０’を示している。転向ローラ７２が露呈されており、遊びローラ７４はベルト６６の張力を維持している。下方カバー７６は、折り畳みヘッド６０’の回動の間、第１の遊びドラム７３を遮蔽し続ける。原料８０は、選択的な供給ホッパ３４を介して設備へと供給され得る。
【手続補正３】
【補正対象書類名】図面
【補正対象項目名】図３
【補正方法】変更
【補正の内容】
【図３】
2016536128.tif 000015
【国際調査報告】
2016536128.tif 000016
2016536128.tif 000017
2016536128.tif 000018
2016536128.tif 000019
2016536128.tif 000020